(57)【要約】【課題】運転等の作業時や緊急時や不慣れな使用者であっても円滑な操作ができるようにすること。【解決手段】本発明では、予め設定された最短時間以上かつ最長時間以下の発信要求信号を受信すると予め登録された電話番号へ発信する機能を有する電話機（２）に接続され、操作スイッチ（７）を操作することで前記発信要求信号を生成し前記電話機（２）に送信する電話機用発信要求信号発生装置（１）において、操作スイッチ（７）を操作した操作時間が前記最短時間以上かつ最長時間以下でない場合でも、前記最短時間以上かつ最長時間以下の長さの発信要求信号を生成し前記電話機（２）に送信するように構成することにした。【選択図】図１
2012004724.tif 000002
【特許請求の範囲】
【請求項１】
予め設定された最短時間以上かつ最長時間以下の発信要求信号を受信すると予め登録された電話番号へ発信する機能を有する電話機に接続され、操作スイッチを操作することで前記発信要求信号を生成し前記電話機に送信する電話機用発信要求信号発生装置において、
操作スイッチを操作した操作時間が前記最短時間以上かつ最長時間以下でない場合でも、前記最短時間以上かつ最長時間以下の長さの発信要求信号を生成し前記電話機に送信するように構成したことを特徴とする電話機用発信要求信号発生装置。
【請求項２】
前記操作時間が前記最短時間よりも短い場合には、前記最短時間以上かつ最長時間以下の長さの発信要求信号を生成し前記電話機に送信するように構成したことを特徴とする請求項１に記載の電話機用発信要求信号発生装置。
【請求項３】
前記操作時間が前記最長時間よりも長い場合には、前記最短時間以上かつ最長時間以下の長さの発信要求信号を生成し前記電話機に送信するように構成したことを特徴とする請求項１に記載の電話機用発信要求信号発生装置。
【請求項４】
前記操作時間にかかわらず前記最短時間以上の発信要求信号を生成し前記電話機に送信し、前記電話機が発信要求を受付けたときに発する通知を受信した場合には、前記発信要求信号の前記電話機への送信を停止するように構成したことを特徴とする請求項１に記載の電話機用発信要求信号発生装置。
【請求項５】
前記操作時間が前記最短時間よりも短い場合には、前記最短時間以上かつ最長時間以下の長さの発信要求信号を生成し前記電話機に送信し、前記操作時間が前記最長時間よりも長い場合には、警告を発するように構成したことを特徴とする請求項１に記載の電話機用発信要求信号発生装置。
【発明の詳細な説明】
【技術分野】
【０００１】
本発明は、携帯電話機等に接続して使用される電話機用発信要求信号発生装置に関するものであり、予め設定された最短時間以上かつ最長時間以下の発信要求信号を受信すると予め登録された電話番号へ発信する機能を有する電話機に接続され、操作スイッチを操作することで発信要求信号を生成し電話機に送信する電話機用発信要求信号発生装置に関するものである。
【背景技術】
【０００２】
携帯電話機等の電話機は、電話機に装備された発信スイッチを操作することで相手先の電話機との間で通話を行うことができるようになっている。
【０００３】
そして、従来の電話機では、たとえばハンズフリーセットに代表されるように、運転等の作業中においても通話できるようにするために、或いは、電話機に装備された発信スイッチが小さくて操作しずらいといった難点を解消するために、既存の電話機とは別体の装置を電話機の外部接続端子に接続し、別体の装置に設けられた操作スイッチを押圧操作することで、発信や着信を行えるようにしている。
【０００４】
特に近年の電話機では、利便性や緊急性に対応するために、予め設定された最短時間以上かつ最長時間以下の発信要求信号を受信すると予め登録された電話番号へ発信する機能を有するものも開発されている。このような機能を有する電話機には、発信要求信号を生成して電話機に送信する機能を有する電話機用発信要求信号発生装置が接続できる。この電話機用発信要求信号発生装置では、操作スイッチの操作に連動して発信要求信号を生成して電話機に送信するように構成しており、操作スイッチが予め設定された最短時間以上かつ最長時間以下の時間で操作された場合にだけ、電話機から予め登録された電話番号に発信して相手先と通話できるようになっている（たとえば、特許文献１参照。）。
【先行技術文献】
【特許文献】
【０００５】
【特許文献１】特開２００３−２１８９９６号公報
【発明の概要】
【発明が解決しようとする課題】
【０００６】
ところが、上記従来の電話機用発信要求信号発生装置では、使用者が操作スイッチを既存の電話機に予め設定されている最短時間以上かつ最長時間以下の時間で操作した場合にだけ、すなわち、操作スイッチの操作時間が最短時間以上かつ最長時間以下の場合にだけ、電話機が予め登録された電話番号へ発信するように構成されているために、操作スイッチを操作した操作時間が、先の最短時間よりも短い場合や、最長時間よりも長い場合には、電話機からの発信が行われないものであった。
【０００７】
そのため、運転等の作業時や緊急時や不慣れな使用者が操作した時などにおいては、操作スイッチの操作時間が短すぎたり長すぎたりしてしまい、所望の発信を円滑に行えないといった不具合があった。
【課題を解決するための手段】
【０００８】
そこで、請求項１に係る本発明では、予め設定された最短時間以上かつ最長時間以下の発信要求信号を受信すると予め登録された電話番号へ発信する機能を有する電話機に接続され、操作スイッチを操作することで前記発信要求信号を生成し前記電話機に送信する電話機用発信要求信号発生装置において、操作スイッチを操作した操作時間が前記最短時間以上かつ最長時間以下でない場合でも、前記最短時間以上かつ最長時間以下の長さの発信要求信号を生成し前記電話機に送信するように構成することにした。
【０００９】
また、請求項２に係る本発明では、前記請求項１に係る本発明において、前記操作時間が前記最短時間よりも短い場合には、前記最短時間以上かつ最長時間以下の長さの発信要求信号を生成し前記電話機に送信するように構成することにした。
【００１０】
また、請求項３に係る本発明では、前記請求項１に係る本発明において、前記操作時間が前記最長時間よりも長い場合には、前記最短時間以上かつ最長時間以下の長さの発信要求信号を生成し前記電話機に送信するように構成することにした。
【００１１】
また、請求項４に係る本発明では、前記請求項１に係る本発明において、前記操作時間にかかわらず前記最短時間以上の発信要求信号を生成し前記電話機に送信し、前記電話機が発信要求を受付けたときに発する通知を受信した場合には、前記発信要求信号の前記電話機への送信を停止するように構成することにした。
【００１２】
また、請求項５に係る本発明では、前記請求項１に係る本発明において、前記操作時間が前記最短時間よりも短い場合には、前記最短時間以上かつ最長時間以下の長さの発信要求信号を生成し前記電話機に送信し、前記操作時間が前記最長時間よりも長い場合には、警告を発するように構成することにした。
【発明の効果】
【００１３】
そして、本発明では、以下に記載する効果を奏する。
【００１４】
すなわち、本発明では、操作スイッチを操作した操作時間が電話機に予め設定されている最短時間以上かつ最長時間以下ではない場合でも、すなわち、操作スイッチを操作した操作時間が電話機に予め設定されている最短時間よりも短い場合であっても、或いは、操作スイッチを操作した操作時間が電話機に予め設定されている最長時間よりも長い場合であっても、最短時間以上かつ最長時間以下の長さの発信要求信号を生成し電話機に送信することができるので、運転等の作業時や緊急時や不慣れな使用者が操作しても電話機に予め登録しておいた電話番号へ発信することができ、電話機用発信要求信号発生装置の使い勝手を向上させることができる。
【図面の簡単な説明】
【００１５】
【図１】本発明に係る電話機用発信要求信号発生装置を示す説明図。
【図２】同動作説明図。
【図３】同動作説明図。
【図４】同動作説明図。
【発明を実施するための形態】
【００１６】
以下に、本発明に係る電話機用発信要求信号発生装置の具体的な構成について図面を参照しながら説明する。
【００１７】
図１に示すように、電話機用発信要求信号発生装置１は、既存の携帯電話機等の電話機２の外部接続端子３に接続して使用する。
【００１８】
ここで、既存の電話機２は、製造者によって電話機２に予め設定された最短時間（t1）以上かつ最長時間（t2）以下の長さの発信要求信号を外部接続端子３から受信すると、使用者によって電話機２に予め登録された電話番号の電話機４へ自動的に発信するといった公知の機能を有している。
【００１９】
この電話機用発信要求信号発生装置１は、上記機能を有する既存の電話機２に対する発信要求信号を生成し、電話機２に外部接続端子３を介して送信し、電話機２から電話機４へ自動的に発信するように構成したものであり、単体で構成することもでき、また、イヤホンなどと一体となったハンズフリーセットとして構成することもできる。
【００２０】
電話機用発信要求信号発生装置１は、制御部５にメモリー部（記録媒体）６を接続するとともに、制御部５に操作スイッチ７とマイク８とスピーカー９をインターフェイス部10を介して接続する一方、制御部５に信号発生部11を接続し、信号発生部11を電話機２の外部接続端子３に接続している。
【００２１】
そして、電話機用発信要求信号発生装置１は、メモリー部６に記録されたプログラムにしたがって以下に説明するように発信要求信号を生成して電話機２に送信するようにしている。
【００２２】
すなわち、電話機用発信要求信号発生装置１は、図２（ａ）〜（ｃ）に示すように、使用者が操作スイッチ７を押圧操作すると、操作スイッチ７から制御部５に入力されるスイッチ操作信号（デジタル信号）がLow状態からHigh状態となる。このときの時間を操作開始時間（t0）とする。これに連動して、制御部５は、発信制御信号（デジタル信号）をLow状態からHigh状態にして信号発生部11に送信し、発信制御信号がHigh状態にあるときに信号発生部11で発信要求信号（デジタル信号）を生成して電話機２に送信する。
【００２３】
その後、電話機用発信要求信号発生装置１は、操作開始時間（t0）から計測して最短時間（t1）よりも前に使用者が操作スイッチ７の押圧操作を停止した場合、図２（ａ）に示すように、使用者が操作スイッチ７を操作していた操作時間（ta）の経過時において操作スイッチ７から制御部５に入力されるスイッチ操作信号がHigh状態からLow状態になり、従来であれば発信制御信号もHigh状態からLow状態として信号発生部11での発信要求信号の生成を停止するが、ここでは、発信制御信号をHigh状態のままとし、最短時間（t1）が経過し最長時間（t2）よりも前で発信制御信号をLow状態とする。
【００２４】
これにより、電話機用発信要求信号発生装置１は、操作スイッチ７の操作時間（ta）が最短時間（t1）よりも短い場合であっても、制御部５から信号発生部11に送信する発信制御信号の長さを最短時間（t1）以上かつ最長時間（t2）以下の長さとし、この発信制御信号に基いて信号発生部11で最短時間（t1）以上かつ最長時間（t2）以下の長さの発信要求信号を生成し電話機２に送信するようにしている。
【００２５】
また、電話機用発信要求信号発生装置１は、操作開始時間（t0）から計測して最短時間（t1）が経過し最長時間（t2）よりも前に使用者が操作スイッチ７の押圧操作を停止した場合、図２（ｂ）に示すように、使用者が操作スイッチ７を操作していた操作時間（tb）の経過時において操作スイッチ７から制御部５に入力されるスイッチ操作信号がHigh状態からLow状態になり、それに伴って（従来と同様に）発信制御信号もHigh状態からLow状態として信号発生部11での発信要求信号の生成を停止する。
【００２６】
これにより、電話機用発信要求信号発生装置１は、操作スイッチ７の操作時間（tb）が最短時間（t1）以上かつ最長時間（t2）以下の場合、制御部５から信号発生部11に送信する発信制御信号の長さが最短時間（t1）以上かつ最長時間（t2）以下の長さとなり、この発信制御信号に基いて信号発生部11で最短時間（t1）以上かつ最長時間（t2）以下の長さの発信要求信号を生成し電話機２に送信するようにしている。
【００２７】
さらに、電話機用発信要求信号発生装置１は、操作開始時間（t0）から計測して最長時間（t2）が経過した時に使用者が操作スイッチ７の押圧操作を停止せずに、その後に操作スイッチ７の押圧操作を停止した場合、図２（ｃ）に示すように、使用者が操作スイッチ７を操作していた操作時間（tc）の経過時において操作スイッチ７から制御部５に入力されるスイッチ操作信号がHigh状態からLow状態になり、従来であればその時点で発信制御信号をHigh状態からLow状態として信号発生部11での発信要求信号の生成を停止するが、ここでは、最長時間（t2）が経過した時点で強制的に発信制御信号をHigh状態からLow状態として信号発生部11での発信要求信号の生成を停止する。
【００２８】
これにより、電話機用発信要求信号発生装置１は、操作スイッチ７の操作時間（tc）が最長時間（t2）よりも長い場合であっても、制御部５から信号発生部11に送信する発信制御信号の長さを最短時間（t1）以上かつ最長時間（t2）以下の長さとし、この発信制御信号に基いて信号発生部11で最短時間（t1）以上かつ最長時間（t2）以下の長さの発信要求信号を生成し電話機２に送信するようにしている。
【００２９】
以上に説明したように、上記電話機用発信要求信号発生装置１は、操作スイッチ７を操作した操作時間（ta,tc）が最短時間（t1）以上かつ最長時間（t2）以下でない場合でも、最短時間（t1）以上かつ最長時間（t2）以下の長さの発信要求信号を生成し電話機２に送信するように構成している。
【００３０】
そのため、上記構成の電話機用発信要求信号発生装置１では、操作スイッチ７を操作した操作時間（ta,tc）が電話機２に予め設定されている最短時間（t1）以上かつ最長時間（t2）以下でない場合でも、すなわち、操作スイッチ７を操作した操作時間（ta）が電話機２に予め設定されている最短時間（t1）よりも短い場合であっても、或いは、操作スイッチ７を操作した操作時間（tc）が電話機２に予め設定されている最長時間（t2）よりも長い場合であっても、最短時間（t1）以上かつ最長時間（t2）以下の長さの発信要求信号を生成し電話機２に送信することができるので、運転等の作業時や緊急時や不慣れな使用者が操作しても電話機２に予め登録しておいた電話番号へ発信することができ、電話機用発信要求信号発生装置１の使い勝手を向上させることができる。
【００３１】
電話機用発信要求信号発生装置１は、上記構成に限られず、以下に説明するように構成してもよい。
【００３２】
たとえば、既存の電話機２が発信要求信号による発信要求を受付けたときに通知音を発するように構成されている場合には、電話機用発信要求信号発生装置１を以下に説明するように制御してもよい。
【００３３】
すなわち、電話機用発信要求信号発生装置１は、図３に示すように、使用者が操作スイッチ７を押圧操作すると、操作スイッチ７から制御部５に入力されるスイッチ操作信号がLow状態からHigh状態となる。このときの時間を操作開始時間（t0）とする。これに連動して、制御部５は、発信制御信号をLow状態からHigh状態にして信号発生部11に送信し、発信制御信号がHigh状態にあるときに信号発生部11で発信要求信号を生成して電話機２に送信する。
【００３４】
そして、電話機用発信要求信号発生装置１は、操作開始時間（t0）から計測して最短時間（t1）が経過した後に、電話機２が発信要求信号による発信要求を受付けた通知音をマイク８で検出し、マイク８から制御部５に送信する通知受信信号（デジタル信号）をLow状態からHigh状態にする。これに連動して、制御部５は、発信制御信号をHigh状態からLow状態として信号発生部11での発信要求信号の生成を停止する。
【００３５】
これにより、電話機用発信要求信号発生装置１は、操作スイッチ７の操作時間にかかわらず操作開始時間（t0）から電話機２が発信要求を受付けた時（td）まで発信制御信号を生成することになり、制御部５から信号発生部11に送信する発信制御信号の長さが最短時間（t1）以上かつ最長時間（t2）以下の長さとなり、この発信制御信号に基いて信号発生部11で最短時間（t1）以上かつ最長時間（t2）以下の長さの発信要求信号を生成し電話機２に送信するようにしている。
【００３６】
また、スピーカー９から警告音を発生するように構成した場合には、電話機用発信要求信号発生装置１を以下に説明するように制御してもよい。
【００３７】
すなわち、電話機用発信要求信号発生装置１は、図４（ａ）、（ｂ）に示すように、使用者が操作スイッチ７を押圧操作すると、操作スイッチ７から制御部５に入力されるスイッチ操作信号がLow状態からHigh状態となる。このときの時間を操作開始時間（t0）とする。これに連動して、制御部５は、発信制御信号をLow状態からHigh状態にして信号発生部11に送信し、発信制御信号がHigh状態にあるときに信号発生部11で発信要求信号を生成して電話機２に送信する。
【００３８】
その後、電話機用発信要求信号発生装置１は、操作開始時間（t0）から計測して最短時間（t1）よりも前（te）に使用者が操作スイッチ７の押圧操作を停止した場合、図４（ａ）に示すように、最短時間（t1）が経過し最長時間（t2）よりも前で発信制御信号をLow状態として、信号発生部11で最短時間（t1）以上かつ最長時間（t2）以下の長さの発信要求信号を生成し電話機２に送信する。
【００３９】
一方、電話機用発信要求信号発生装置１は、操作開始時間（t0）から計測して最長時間（t2）が経過した時に使用者が操作スイッチ７の押圧操作を停止せずに、その後に操作スイッチ７の押圧操作を停止した場合、図４（ｂ）に示すように、使用者が操作スイッチ７を操作していた操作時間（tf）の経過時において操作スイッチ７から制御部５に入力されるスイッチ操作信号がHigh状態からLow状態になり、その時点で発信制御信号をHigh状態からLow状態として信号発生部11での発信要求信号の生成を停止する。そのため、発信要求信号の長さが最長時間（t2）よりも長くなってしまうため、電話機２で発信要求が無効となり電話機４への発信は行われない。
【００４０】
しかしながら、電話機用発信要求信号発生装置１は、図４（ｂ）に示すように、操作開始時間（t0）から計測して最長時間（t2）が経過した時に使用者が操作スイッチ７の押圧操作を停止しない場合、最長時間（t2）の経過時に制御部５からスピーカー９に警告信号を所定時間送信し、スピーカー９から警告音を発するようにしている。
【００４１】
これにより、電話機用発信要求信号発生装置１は、操作スイッチ７の操作時間（te）が最短時間（t1）よりも短い場合であっても、制御部５から信号発生部11に送信する発信制御信号の長さを最短時間（t1）以上かつ最長時間（t2）以下の長さとし、この発信制御信号に基いて信号発生部11で最短時間（t1）以上かつ最長時間（t2）以下の長さの発信要求信号を生成し電話機２に送信し、一方、操作スイッチ７の操作時間（tf）が最短時間（t1）よりも長い場合には、外部に警告を発することができる。
【符号の説明】
【００４２】
１  電話機用発信要求信号発生装置
２  電話機
３  外部接続端子
４  電話機
５  制御部
６  メモリー部
７  操作スイッチ
８  マイク
９  スピーカー
10  インターフェイス部
11  信号発生部
【図１】
2012004724.tif 000003
【図２】
2012004724.tif 000004
【図３】
2012004724.tif 000005
【図４】
2012004724.tif 000006